(57)【要約】【課題】起動したアプリケーションの表示画面切替操作を容易にすることができる画面切替装置を提供する。【解決手段】所定の情報入力画面を表示する表示手段と、現在の日付情報を出力する現在日付出力手段と、所望の日付情報を入力する日付入力手段と、現在の日付情報と、入力した日付情報とを比較して、入力した日付が過去の日付である場合に、第１の情報入力画面を表示手段に表示し、入力した日付が未来の日付である場合に第２の情報入力画面を表示手段に表示する表示制御手段とを備えた。【選択図】図２
2007323125.tif 000002
【特許請求の範囲】
【請求項１】
所定の情報入力画面を表示する表示手段と、
現在の日付情報を出力する現在日付出力手段と、
所望の日付情報を入力する日付入力手段と、
前記現在の日付情報と、前記入力した日付情報とを比較して、前記入力した日付が過去の日付である場合に、第１の情報入力画面を前記表示手段に表示し、前記入力した日付が未来の日付である場合に第２の情報入力画面を前記表示手段に表示する表示制御手段と
を備えたことを特徴とする画面切替装置。
【請求項２】
現在の時刻情報を出力する現在時刻出力手段と、
前記現在の日付情報と入力した日付情報とが同一の日付である場合に、所望の時刻情報を入力する時刻入力手段とをさらに備え、
前記表示制御手段は、前記現在の時刻情報と、前記入力した時刻情報とを比較して、前記入力した時刻が過去の時刻である場合に、前記第１の情報入力画面を前記表示手段に表示し、前記入力した時刻が未来の時刻である場合に第２の情報入力画面を前記表示手段に表示することを特徴とする請求項１に記載の画面切替装置。
【請求項３】
前記第１の情報入力画面は、日記登録用の画面であり、前記第２の情報入力画面は、スケジュール登録用の画面であることを特徴とする請求項１または２に記載の画面切替装置。
【請求項４】
所定の情報入力画面を表示する表示手段と、現在の日付情報を出力する現在日付出力手段と、所望の日付情報を入力する日付入力手段とを備えた情報処理装置における画面切替方法であって、
前記現在の日付情報と、前記入力した日付情報とを比較して、前記入力した日付が過去の日付である場合に、第１の情報入力画面を前記表示手段に表示し、前記入力した日付が未来の日付である場合に第２の情報入力画面を前記表示手段に表示する表示制御ステップを
有することを特徴とする画面切替方法。
【請求項５】
前記情報処理装置は、現在の時刻情報を出力する現在時刻出力手段と、前記現在の日付情報と入力した日付情報とが同一の日付である場合に、所望の時刻情報を入力する時刻入力手段とをさらに備え、
前記表示制御ステップは、前記現在の時刻情報と、前記入力した時刻情報とを比較して、前記入力した時刻が過去の時刻である場合に、前記第１の情報入力画面を前記表示手段に表示し、前記入力した時刻が未来の時刻である場合に第２の情報入力画面を前記表示手段に表示することを特徴とする請求項４に記載の画面切替方法。
【請求項６】
前記第１の情報入力画面は、日記登録用の画面であり、前記第２の情報入力画面は、スケジュール登録用の画面であることを特徴とする請求項４または５に記載の画面切替方法。
【請求項７】
基地局との間で無線通信回線を確立して、情報通信を行う無線通信装置であって、
所定の情報入力画面を表示する表示手段と、
現在の日付情報を出力する現在日付出力手段と、
所望の日付情報を入力する日付入力手段と、
前記現在の日付情報と、前記入力した日付情報とを比較して、前記入力した日付が過去の日付である場合に、第１の情報入力画面を前記表示手段に表示し、前記入力した日付が未来の日付である場合に第２の情報入力画面を前記表示手段に表示する表示制御手段と
を備えたことを特徴とする無線通信装置。
【請求項８】
現在の時刻情報を出力する現在時刻出力手段と、
前記現在の日付情報と入力した日付情報とが同一の日付である場合に、所望の時刻情報を入力する時刻入力手段とをさらに備え、
前記表示制御手段は、前記現在の時刻情報と、前記入力した時刻情報とを比較して、前記入力した時刻が過去の時刻である場合に、前記第１の情報入力画面を前記表示手段に表示し、前記入力した時刻が未来の時刻である場合に第２の情報入力画面を前記表示手段に表示することを特徴とする請求項７に記載の無線通信装置。
【発明の詳細な説明】
【技術分野】
【０００１】
本発明は、起動したアプリケーションの表示画面切替操作を容易に行うことができる画面切替装置、画面切替方法及び無線通信装置に関する。
【背景技術】
【０００２】
従来から、情報処理装置において、手早くスケジュール登録を行うために、入力された数値の桁数と桁毎の値に基づいて、数値が時刻として認識可能であるか否かの判断を行い、認識可能である場合は数値をスケジュールの時刻として認識を行い、スケジュールの時刻が現在の時刻よりも過去を表記している場合、スケジュールの時刻の表記可能な期間だけ、スケジュールの時刻を未来へシフトし、スケジュールの時刻と予め設定されたスケジュール内容とをスケジュールとして登録するスケジュール入力方法が知られている（例えば、特許文献１参照）。
【特許文献１】特開２００４−１１０３５０号公報
【発明の開示】
【発明が解決しようとする課題】
【０００３】
ところで、近年の移動通信端末は、多機能化が進んでおり、多様なアプリケーションを利用することが可能になっている。
しかしながら、移動通信端末は、携帯するという点から小型化されていることが望ましいため、多様なアプリケーション操作に応じた操作機能を備えることが困難になっており、限られたキー操作方法を工夫することによって多様な操作を実現しなければならないという問題がある。特に、移動通信端末が備えている操作キーは、数が少なくまたそれぞれが小さいため、各キー自身に機能を割り当てた表示を行うには限りがある。したがって、ユーザは、操作するべき内容を覚えておく必要があるため、操作内容は簡単でかつ分かり易い必要がある。
【０００４】
本発明は、このような事情に鑑みてなされたもので、起動したアプリケーションの表示画面切替操作を容易に行うことができる画面切替装置、画面切替方法及び無線通信装置を提供することを目的とする。
【課題を解決するための手段】
【０００５】
本発明の画面切替装置は、所定の情報入力画面を表示する表示手段と、現在の日付情報を出力する現在日付出力手段と、所望の日付情報を入力する日付入力手段と、前記現在の日付情報と、前記入力した日付情報とを比較して、前記入力した日付が過去の日付である場合に、第１の情報入力画面を前記表示手段に表示し、前記入力した日付が未来の日付である場合に第２の情報入力画面を前記表示手段に表示する表示制御手段とを備えたことを特徴とする。
【０００６】
本発明の画面切替装置は、現在の時刻情報を出力する現在時刻出力手段と、前記現在の日付情報と入力した日付情報とが同一の日付である場合に、所望の時刻情報を入力する時刻入力手段とをさらに備え、前記表示制御手段は、前記現在の時刻情報と、前記入力した時刻情報とを比較して、前記入力した時刻が過去の時刻である場合に、前記第１の情報入力画面を前記表示手段に表示し、前記入力した時刻が未来の時刻である場合に第２の情報入力画面を前記表示手段に表示することを特徴とする。
【０００７】
本発明の画面切替装置は、前記第１の情報入力画面は、日記登録用の画面であり、前記第２の情報入力画面は、スケジュール登録用の画面であることを特徴とする。
【０００８】
本発明の画面切替方法は、所定の情報入力画面を表示する表示手段と、現在の日付情報を出力する現在日付出力手段と、所望の日付情報を入力する日付入力手段とを備えた情報処理装置における画面切替方法であって、前記現在の日付情報と、前記入力した日付情報とを比較して、前記入力した日付が過去の日付である場合に、第１の情報入力画面を前記表示手段に表示し、前記入力した日付が未来の日付である場合に第２の情報入力画面を前記表示手段に表示する表示制御ステップを有することを特徴とする。
【０００９】
本発明の画面切替方法は、前記情報処理装置は、現在の時刻情報を出力する現在時刻出力手段と、前記現在の日付情報と入力した日付情報とが同一の日付である場合に、所望の時刻情報を入力する時刻入力手段とをさらに備え、前記表示制御ステップは、前記現在の時刻情報と、前記入力した時刻情報とを比較して、前記入力した時刻が過去の時刻である場合に、前記第１の情報入力画面を前記表示手段に表示し、前記入力した時刻が未来の時刻である場合に第２の情報入力画面を前記表示手段に表示することを特徴とする。
【００１０】
本発明の画面切替方法は、前記第１の情報入力画面は、日記登録用の画面であり、前記第２の情報入力画面は、スケジュール登録用の画面であることを特徴とする。
【００１１】
本発明の無線通信装置は、基地局との間で無線通信回線を確立して、情報通信を行う無線通信装置であって、所定の情報入力画面を表示する表示手段と、現在の日付情報を出力する現在日付出力手段と、所望の日付情報を入力する日付入力手段と、前記現在の日付情報と、前記入力した日付情報とを比較して、前記入力した日付が過去の日付である場合に、第１の情報入力画面を前記表示手段に表示し、前記入力した日付が未来の日付である場合に第２の情報入力画面を前記表示手段に表示する表示制御手段とを備えたことを特徴とする。
【００１２】
本発明の無線通信装置は、現在の時刻情報を出力する現在時刻出力手段と、前記現在の日付情報と入力した日付情報とが同一の日付である場合に、所望の時刻情報を入力する時刻入力手段とをさらに備え、前記表示制御手段は、前記現在の時刻情報と、前記入力した時刻情報とを比較して、前記入力した時刻が過去の時刻である場合に、前記第１の情報入力画面を前記表示手段に表示し、前記入力した時刻が未来の時刻である場合に第２の情報入力画面を前記表示手段に表示することを特徴とする。
【発明の効果】
【００１３】
本発明によれば、入力された日時が過去であった場合には、日記を登録するものと見なして日記登録画面を表示し、入力された日時が未来であった場合には、スケジュールを登録するものと見なしてスケジュール登録画面を表示するようにして、日時を指定するだけでスケジュール登録画面と日記登録画面とを自動的に切り替えることが可能としたため、キー操作を減らすことができ、操作性の向上を図ることが可能になるという効果が得られる。
【発明を実施するための最良の形態】
【００１４】
以下、本発明の一実施形態による画面切替装置を図面を参照して説明する。ここでは、本発明により画面切替装置を移動端末に適用した場合を例にして説明する。図１は同実施形態の構成を示すブロック図である。この図において、符号１は、移動端末の処理動作を統括して制御する制御部である。符号２は、ダイヤルキーやファンクションキー等が配列されたキーパネルから構成する入力部である。符号３は、液晶のディスプレイ装置から構成する表示部である。符号４は、図示しない基地局との間で無線通信回線を確立して情報通信を行う通信部である。符号５は、移動端末を動作させるための基本プログラムやアプリケーションプログラムが記憶されているとともに、アプリケーションを実行した結果得られた情報を記憶するためにも用いる。ここでは、メモリ５には、スケジュール管理するアプリケーションが記憶されているものとして説明する。このスケジュール管理アプリケーションは、日時情報と予定情報とを関連付けて記憶しておき、任意のタイミングで表示することができるスケジュール管理機能と、日時情報と出来事や感想等を記述した情報とを関連付けて記憶しておき、任意のタイミングで表示することができる日記管理機能とを有している。
【００１５】
次に、図２を参照して、図１に示す移動端末上でスケジュール管理アプリケーションを実行し、スケジュール登録画面と日記登録画面を切り替える動作を説明する。
まず、ユーザは、入力部２を操作して、表示部３に表示されているメインメニューから「スケジュール」を選択する操作を行う。これを受けて、制御部１は、入力部２の操作内容を読み取り、スケジュール管理アプリケーションを起動する（ステップＳ１）。スケジュール管理アプリケーションが起動すると、制御部１は、カレンダ画面を表示部３に表示する（ステップＳ２）。このとき、制御部１は、本日（今日）の日付を含む月のカレンダを表示し、本日の日付部分にカーソルを合わせる。
【００１６】
ここで、ユーザは、入力部２を操作して、カレンダ表示画面上の任意の日付部分にカーソルを合わせ、この日付部分を選択する操作を行う。制御部１は、入力部２の操作内容を読み取り、選択された日付を特定する（ステップＳ３）。そして、制御部１は、内部の時計機能を使用して、現在の日時情報を読み取り、選択された日付が過去（本日より前の日付）であるか否かを判定する（ステップＳ４）。この判定の結果、選択された日付が過去であった場合、制御部１は、日記登録画面を表示部３に表示する（ステップＳ５）。
【００１７】
一方、選択された日付が過去でない場合、制御部１は、選択された日付が本日であるか否かを判定する（ステップＳ６）。この判定の結果、選択された日付が本日である場合、制御部１は、時刻入力画面を表示部３に表示する（ステップＳ７）。ここで、ユーザは、入力部２を操作して、時刻入力画面から時刻を入力する操作を行う。制御部１は、操作部２から入力された時刻を読み取り（ステップＳ８）、この入力時刻と、内部の時計機能から得た現在時刻とを比較して、入力時刻が過去の時刻であるか否かを判定する（ステップＳ９）。この判定の結果、入力時刻が過去の時刻であった場合、制御部１は、日記登録画面を表示部３に表示する（ステップＳ５）。一方、ステップＳ６において、選択された日付が本日でなく未来（本日より後の日付）である場合と、入力時刻が過去でなく未来である場合、制御部１は、スケジュール登録画面を表示部３に表示する。
【００１８】
次に、図３に示す画面遷移例を参照して、図２に示す処理動作の具体例を説明する。まず、表示部３に表示されたメインメニュー（Ｄ１）において、「スケジュール」にカーソルを合わせて、「センタキー」を押下すると、本日を含む月のカレンダ表示画面（Ｄ２）が表示部３に表示される。ここで、ユーザは、カーソルを任意の日付位置に移動させて、「選択」キーを押下すると、制御部１が、カーソルで選択した日付と本日の日付を比較して、選択された日付が未来であった場合、スケジュール登録画面（Ｄ４）が表示部３に表示される。また、選択された日付が過去であった場合、日記登録画面（Ｄ５）が表示部３に表示される。
【００１９】
一方、カーソルが本日に合わせられて「選択」キーが押下された場合、時刻入力画面（Ｄ３）が表示部３に表示される。そして、制御部１が、ここで入力された時刻と現在時刻とを比較して、入力された時刻が未来であった場合、スケジュール登録画面（Ｄ４）が表示部３に表示され、入力された時刻が過去であった場合、日記登録画面（Ｄ５）が表示部３に表示されることになる。
【００２０】
このように、制御部１は、選択または入力された日時が過去であった場合には、スケジュールを登録することはあり得ないため、日記を登録するものと見なして日記記登録画面を表示し、選択または入力された日時が未来であった場合には、日記を登録することはあり得ないため、スケジュールを登録するものと見なしてスケジュール登録画面を表示するようにして、日時を指定するだけでスケジュール登録画面と日記登録画面とを自動的に切り替えることが可能としたため、キー操作を減らすことができ、操作性の向上を図ることが可能となる。
【００２１】
なお、本発明の移動端末は、移動通信を使用した携帯電話機や移動通信機能を有した携帯情報端末（ＰＤＡ）、モバイル端末、カーナビ装置などを含むものである。
【００２２】
また、図１における処理部の機能を実現するためのプログラムをコンピュータ読み取り可能な記録媒体に記録して、この記録媒体に記録されたプログラムをコンピュータシステムに読み込ませ、実行することにより画面切り替え処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２４】
【図１】本発明の一実施形態の構成を示すブロック図である。
【図２】図１に示す装置の動作を示すフローチャートである。
【図３】図１に示す装置における画面遷移を示す説明図である。
【符号の説明】
【００２５】
１・・・制御部、２・・・入力部、３・・・表示部、４・・・通信部、５・・・メモリ
【図１】
2007323125.tif 000003
【図２】
2007323125.tif 000004
【図３】
2007323125.tif 000005